(57)【特許請求の範囲】
【請求項１】
枠と障子と蝶番とを備え、蝶番は、障子側部材と枠側部材とを軸で回動自在に連結したものであり、障子は、蝶番の障子側部材の端部が係合する係合部を有し、枠は、蝶番の枠側部材の端部が係合する係合部を有し、蝶番の障子側部材は、障子の係合部に端部を係合すると共に障子の外周見込み面に固定してあり、蝶番の枠側部材は、枠の係合部に端部を係合すると共に枠の内周見込み面に固定してあることを特徴とするサッシ。
【請求項２】
蝶番は、軸が室外側寄り又は室内側寄りに設けてあり、枠側部材は、軸に近い方の端部が枠の係合部に係合していることを特徴とする請求項１記載のサッシ。
【請求項３】
枠はタイト材ホルダーを有し、タイト材ホルダーと内周見込み面との間に蝶番の枠側部材が係合していることを特徴とする請求項１又は２記載のサッシ。
【請求項４】
蝶番は、枠側部材の枠の係合部に係合する端部が内周側に斜めに曲げてあることを特徴とする請求項１，２又は３記載のサッシ。
【発明の詳細な説明】
【技術分野】
【０００１】
本発明は、障子が周囲の一縁部を支点に回動して開口部を開閉するサッシに関する。
【背景技術】
【０００２】
従来、突き出し窓等の開き窓においては、図７に示すように、蝶番９０を用いて障子９１を枠９２に取付けている。蝶番９０は、障子９１と枠９２とにそれぞれビス９３ａ，９３ｂで固定しているが、蝶番９０には障子９１の自重や風圧による強い力が加わり、さらに排煙突出し窓においてはダンパーによる下向きの付勢力も掛かり、ビス９３ａ，９３ｂだけでこれらの力を負担しなければならないので、ビス９３ａ，９３ｂの本数が必然的に多くなり（通常、一つの蝶番につき障子と枠にそれぞれ５本ずつのビスで固定している）、そのため障子９１を枠９２に取付ける際の作業性が非常に悪い。また蝶番を介して障子を枠に取付ける際には、図８（ａ）に示すように、蝶番９０をビス９３ａで障子９１に先に取付けてから、図８（ｂ）に示すように、作業者が障子９１を支持して蝶番９０を枠９２の内周見込み面に押し付けながら、見込み方向及び左右方向の位置調整を行わなければならないため、取付け作業が容易に行えなかった。
【発明の概要】
【発明が解決しようとする課題】
【０００３】
本発明は以上に述べた実情に鑑み、障子を枠に取付ける際の作業性が良好なサッシの提供を目的とする。
【課題を解決するための手段】
【０００４】
上記の課題を達成するために請求項１記載の発明によるサッシは、枠と障子と蝶番とを備え、蝶番は、障子側部材と枠側部材とを軸で回動自在に連結したものであり、障子は、蝶番の障子側部材の端部が係合する係合部を有し、枠は、蝶番の枠側部材の端部が係合する係合部を有し、蝶番の障子側部材は、障子の係合部に端部を係合すると共に障子の外周見込み面に固定してあり、蝶番の枠側部材は、枠の係合部に端部を係合すると共に枠の内周見込み面に固定してあることを特徴とする。
【０００５】
請求項２記載の発明によるサッシは、請求項１記載の発明の構成に加え、蝶番は、軸が室外側寄り又は室内側寄りに設けてあり、枠側部材は、軸に近い方の端部が枠の係合部に係合していることを特徴とする。
【０００６】
請求項３記載の発明によるサッシは、請求項１又は２記載の発明の構成に加え、枠はタイト材ホルダーを有し、タイト材ホルダーと内周見込み面との間に蝶番の枠側部材が係合していることを特徴とする。
【０００７】
請求項４記載の発明によるサッシは、請求項１，２又は３記載の発明の構成に加え、蝶番は、枠側部材の枠の係合部に係合する端部が内周側に斜めに曲げてあることを特徴とする。
【発明の効果】
【０００８】
請求項１記載の発明によるサッシは、障子と枠とに蝶番の係合部がそれぞれ設けてあり、これら係合部により障子の自重等を受けることで、蝶番を枠と障子に固定するビス等の本数を少なくすることができるため、障子を枠に取付ける際の作業性が良好である。また蝶番を障子及び枠に取付ける際に、蝶番の端部を障子及び枠の係合部に係合させることで蝶番が位置決めされるから、ビス等で固定する作業が容易になる。
【０００９】
請求項２記載の発明によるサッシは、蝶番の軸が室外側寄り又は室内側寄りに設けられ、蝶番の枠側部材の軸に近い方の端部が枠の係合部に係合していることで、障子の自重等を枠の係合部に効率よく負担させられ、少ないビス等で安定して蝶番を枠に固定できる。
【００１０】
請求項３記載の発明によるサッシは、枠のタイト材ホルダーと内周見込み面との間に蝶番の枠側部材を係合したので、枠に蝶番の係合部を別に設ける必要がないため、枠の形状を単純にでき、コストを下げることができる。
【００１１】
請求項４記載の発明によるサッシは、蝶番の枠側部材の枠の係合部に係合する端部が内周側に斜めに曲げてあることで、障子を枠に取付ける際に、蝶番の枠側部材の端部を枠の係合部に係合させるのが容易になると共に、枠側部材を枠の内周見込み面に当接させると、枠側部材の曲がった端部が枠の係合部に突っ張り、蝶番のがたつきを防止できる。
【図面の簡単な説明】
【００１２】
【図１】本発明のサッシの一実施形態（排煙突出し窓）を示す縦断面図である。
【図２】同サッシの横断面図である。
【図３】同サッシの室外側正面図である。
【図４−１】障子を枠に取付ける際の手順を示す縦断面図であって、障子に蝶番を取付けるときの様子を示している。
【図４−２】図４−１の続きであり、障子に固定した蝶番を枠に係合し、ビスで固定する様子を示している。
【図５】（ａ）は蝶番の平面図、（ｂ）は蝶番の側面図である。
【図６】障子と枠の連結部の他の実施形態を示す縦断面図である。
【図７】従来の突出し窓の障子と上枠との連結部を示す縦断面図である。
【図８】従来の突出し窓において、蝶番により障子を枠に取付ける手順を示す縦断面図である。
【発明を実施するための形態】
【００１３】
以下、本発明の実施の形態を図面に基づいて説明する。図１〜３は、本発明のサッシの一実施形態であって、ビル用の排煙突出し窓に適用した実施形態を示している。本サッシは、躯体開口部に取付けられる枠１と、枠１内に開閉自在に設けた障子２とを備えている。障子２は、図１，３に示すように、上框１０が左右方向に間隔をおいて配置した２個の蝶番３，３により上枠７と連結され、蝶番３の軸６を支点として室外側に回動して開くようになっている。
【００１４】
枠１は、アルミニウム合金の押出形材よりなる上枠７と下枠１２と左右の竪枠１３，１３とを四方枠組みして構成してある。上枠７は、図１に示すように、室外側の見付け面の下縁部に沿ってタイト材ホルダー８が室内側に突出する形で形成してあり、そのタイト材ホルダー８に水切りタイト材１４が下向きに取付けられ、水切りタイト材１４により上枠７と上框１０間の隙間を塞いでいる。上枠７は、内周見込み面１５がフラットに形成され、内周見込み面１５とタイト材ホルダー８との間に、蝶番３が係合する係合溝９が形成してある。係合溝９は、上枠７の内周見込み面１５と連続して室内側が開口するように形成され、係合溝９の溝幅は蝶番３の板厚よりも広くなっている。
【００１５】
障子２は、アルミニウム合金の押出形材よりなる上框１０と下框１６と左右の竪框１７，１７とを四周框組みし、各框の内周側に形成された溝１８内にガラスパネル１９の周縁部を嵌め込んで固定したものとなっている。上框１０は、図１に示すように、外周見込み面２０の室内側端部に、先端が室外側に向けて曲がった鉤形の突起２１が設けてあり、該突起２１により蝶番３が係合する係合溝１１が形成されている。また、係合溝１１の室外側に凹部３０が形成されている。
【００１６】
蝶番３は、図１，５に示すように、上枠７に取付けられる枠側部材４と、上框１０に取付けられる障子側部材５とを、軸６で回動自在に連結して構成してある。軸６は、室外側寄りの位置に設けてある。枠側部材４は、上部に室外側に延びる室外側延出部２２と、室内側に延びる室内側延出部２３とを面一状に有している。枠側部材４の室外側の端部４ａは、内周側に向けて斜めに曲げてあり、この部分が軸６の上方で上枠７の係合溝９内に上下方向に突っ張る形で係合している。室内側延出部２３には、図５（ａ）に示すように、室内側寄りの位置に左右方向に間隔をあけてビス挿通孔２４が２箇所設けてある。障子側部材５は、図５に示すように、左右方向に間隔をあけてビス挿通孔２５が２箇所設けてあり、室内側の端部５ａが内周側にオフセットするように少し曲がった形になっている。
【００１７】
障子２を枠１に取付ける際の手順を説明すると、まず図４−１（ａ）に示すように、蝶番３の障子側部材５の室内側端部５ａを上框１０の凹部３０から係合溝１１内に差し入れ、室外側に倒して障子側部材５を上框１０の外周見込み面２０に当接させる。そうすると図４−１（ｂ）に示すように、障子側部材５の室内側端部５ａが上框１０の係合溝１１の外周側に突き当たって係合し、障子側部材５ががたつかないように位置決めされる。このように、障子側部材５の室内側端部５ａを上框１０の凹部３０に差し入れ、室外側に倒すようにして係合溝１１に係合させることで、上框１０の見付け壁３１との間に室内側部材５を室内外方向にスライドさせるための隙間を設ける必要がない。その後、上方から２本のビス２６で障子側部材５を上框１０に固定する。ビス２６を捩じ込むと、障子側部材５の先端部５ａが上框１０の係合溝１１の外周側（突起２１）に密着するように突っ張り、これにより障子側部材５のがたつきが防止される。そうして蝶番３を上框１０に取付けた後、図４−２（ｃ）に示すように、蝶番３の枠側部材４を室内側に若干倒した状態で、その室外側端部４ａを上枠７の係合溝９に室内側から差し入れるようにして係合する。その際、蝶番３の枠側部材４の室外側端部４ａが内周側に少し曲がっており、且つ上枠７の係合溝９の溝幅が蝶番３の板厚よりも広いため、容易に係合させることができる。次に、障子２を持ち上げるようにして、蝶番３の枠側部材４の上面を上枠７の内周見込み面１５に突き当てると、図４−２（ｄ）に示すように、枠側部材４の室外側端部４ａが上枠７の係合溝９内で突っ張る形になり、この状態で枠側部材４の室内側を下方から２本のビス２７で上枠７に固定する。
【００１８】
下枠１２の内周見込み面と下框１６の外周見込み面との間のスペースには、図１に示すように、滑車とワイヤー等よりなるオペレーター装置２８が設けてある。また、竪枠１３と竪框１７との間には、図２に示すように、ダンパー２９が取付けてある。障子２は、図示しない操作ボタンを操作することでダンパー２９の力で開き、オペレーター装置２８により障子２を閉めることができる。
【００１９】
以上に述べたように本サッシは、上枠７と上框１０にそれぞれ設けた係合溝９，１１に蝶番３を係合しており、これら係合部により障子２の自重やダンパー２９の付勢力等の上下方向の力を受けるため、ビス２６，２７に掛かる負担が小さくなり、蝶番３を上枠７及び上框１０に止めるビス２６，２７の本数を、それぞれ２本ずつと少なくすることができる。そのため、障子２を枠１に取付ける際の作業性が良好になる。また、蝶番３を上框１０及び上枠７に取付ける際、蝶番３を係合溝９，１１に係合させながら行うことで蝶番３が位置決めされるから、ビス止めの作業がしやすい。さらに、上枠７と上框１０のビス孔の加工を少なくできる。
さらに本サッシは、蝶番３の軸６を室外側寄りに設けると共に、軸６のほぼ真上で蝶番３の室外側端部４ａを上枠７に係合しているため、障子１の自重等を上枠７の係合部に効率よく負担させられ、これによりビス２７に掛かる負担が一層小さくなるから、少ないビス２７で安定して蝶番３を上枠７に固定できる。しかも上枠７は、タイト材ホルダー８を利用して蝶番３を係合したので、上枠７に蝶番３の係合部を別に設ける必要がなく、上枠７の形状を単純にでき、コストを下げることができる。
さらに蝶番３は、枠側部材４の室外側端部４ａが内周側に斜めに曲げてあり、上枠７の係合溝９の溝幅が蝶番３の板厚よりも広くなっているため、障子２を枠１に取付ける際に、蝶番３の枠側部材４の室外側端部４ａを上枠７の係合溝９に係合させるのが容易になると共に、障子２を持ち上げるようにして枠側部材４の上面を上枠７の内周見込み面１５に当接させると、枠側部材４の曲がった端部４ａが上枠７の係合溝９内で突っ張るので、蝶番３のがたつきを防止できる。
【００２０】
図６は、障子２と枠１の連結部の他の実施形態であって、障子２が室内側に開く場合を示している。蝶番３は、先に述べた実施形態のものとは室外側と室内側が逆になっており、軸６が室内側寄りに設けてあり、枠側部材４の室内側端部４ｂが軸６の上方で上枠７の内周側面１５に設けた係合溝９に係合しており、室外側がビス２７で上枠７に固定してある。蝶番３の障子側部材５は、室外側の端部５ｂが上框１０の係合溝１１に係合している。
【００２１】
本発明は以上に述べた実施形態に限定されない。蝶番３を配置する位置は、上枠７と上框１０間に限らず、下枠１２と下框１６間、竪枠１３と竪框１７間であってもよい。蝶番３は、ステンレスや鉄の板をプレス成形したものの他、アルミの押出形材で長尺に形成することもできる。障子２及び枠１に設けられる蝶番３の係合部の形態は、適宜変更することができる。蝶番３を枠１及び障子２に固定するのに、ビス以外の固着具（例えばリベット等）を使用することもできる。
【符号の説明】
【００２２】
１  枠
２  障子
３  蝶番
４  枠側部材
４ａ  枠側部材の室外側端部
５  障子側部材
５ａ  障子側部材の端部
６  軸
７  上枠
８  タイト材ホルダー
９  上枠の係合溝（係合部）
１０  上框
１１  上框の係合溝（係合部）
１５  上枠の内周見込み面
２０  上框の外周見込み面
２６，２７  ビス
【図１】
0005465639.tif 000002
【図２】
0005465639.tif 000003
【図３】
0005465639.tif 000004
【図４−１】
0005465639.tif 000005
【図４−２】
0005465639.tif 000006
【図５】
0005465639.tif 000007
【図６】
0005465639.tif 000008
【図７】
0005465639.tif 000009
【図８】
0005465639.tif 000010